(57)【要約】【課題】簡単な構成で給紙装置の剛性を高めることができ、画像形成装置本体を載置した際の給紙装置の撓みを抑制して、画像形成装置本体と給紙装置との位置決め精度を高める。【解決手段】  本発明に係る給紙装置３には、画像形成装置本体の下面の周辺部に対向するように配置される載置部材３０と、載置部材３０の下方に配置される補強部材と、上端部が画像形成装置本体の位置決め凹部に嵌合可能且つ下端部が前記補強部材に当接可能なように載置部材３０を貫通して前記上端部に鍔部を有する位置決めピン６０と、が設けられ、給紙装置３に前記画像形成装置本体を載置すると、位置決めピン６０は、前記上端部が前記位置決め凹部に嵌合して前記鍔部が該位置決め凹部の縁部に当接すると共に前記下端部が前記補強部材に当接するように構成されていることを特徴とする。【選択図】図３
2014010192.tif 000002
【特許請求の範囲】
【請求項１】
下面に位置決め凹部を有する画像形成装置本体が載置されるオプションの給紙装置であって、
前記画像形成装置本体の下面の周辺部に対向するように配置される載置部材と、該載置部材の下方に配置される補強部材と、上端部が前記位置決め凹部に嵌合可能且つ下端部が前記補強部材に当接可能なように前記載置部材を貫通して前記上端部に鍔部を有する位置決めピンと、が設けられ、
前記画像形成装置本体を載置すると、前記位置決めピンは、前記上端部が前記位置決め凹部に嵌合して前記鍔部が該位置決め凹部の縁部に当接すると共に前記下端部が前記補強部材に当接するように構成されていることを特徴とする給紙装置。
【請求項２】
前記位置決めピンには、前記載置部材と前記鍔部との間に、該位置決めピンを上方に向かって付勢するバネが設けられていることを特徴とする請求項１に記載の給紙装置。
【請求項３】
前記位置決めピンには、前記載置部材の下方に、該位置決めピンが貫通する前記載置部材の孔よりも大径な脱落防止部が設けられていることを特徴とする請求項１又は２に記載の給紙装置。
【請求項４】
請求項１〜３のいずれか１の請求項に記載の給紙装置を備えることを特徴とする画像形成装置。
【請求項５】
前記給紙装置には、前記載置部材及び前記補強部材により連結される複数の支柱が設けられ、
前記画像形成装置本体の下面には、該画像形成装置本体を前記給紙装置に載置した時に前記載置部材に当接する複数の脚部が設けられ、該脚部のうちの少なくとも一つの脚部は前記画像形成装置本体の下面の前記支柱に対向する位置から外れた位置に設けられ、
前記位置決めピンは、前記少なくとも一つの脚部の近接位置に設けられていることを特徴とする請求項４に記載の画像形成装置。
【発明の詳細な説明】
【技術分野】
【０００１】
本発明は、画像形成装置本体の下方に増設可能なオプションの給紙装置及び該給紙装置を備える画像形成装置に関する。
【背景技術】
【０００２】
従来、複写機、プリンター、ファクシミリ、又はそれらの複合機等の画像形成装置では、画像形成装置本体に用紙を収容する給紙カセットを搭載したものが周知であるが、この給紙カセットに収容可能な用紙の種類や枚数が限られているため、給紙カセットを備えた給紙装置をオプションとして画像形成装置本体の下方に増設することが可能なタイプの画像形成装置が存在する。
【０００３】
しかしながら、このタイプの画像形成装置では、画像形成装置本体に給紙装置を増設するために画像形成装置本体を給紙装置に載置する際、互いの位置決め精度が低下すると、電気接続や駆動接続の不良、或いは用紙の斜め搬送や引っ掛かり等が発生する可能性がある。また、給紙装置の上面に画像形成装置本体を搭載する際に、給紙装置のフレームに撓みが発生し、位置決め精度が低下する問題が発生する可能性もある。
【０００４】
そこで、上記した問題点を解決するため、画像形成装置本体のカセットガイドと給紙装置のカセットガイドとのうちの一方に両カセットガイド同士を位置決めするための位置決め用凸部を設け、他方に位置決め用凸部に係合する位置決め用凹部を設けることによって、画像形成装置と給紙装置との位置決め精度を向上させ、転写紙の搬送不良等の防止を図ることを目的とした画像形成装置や（特許文献１参照）、或いは、画像形成装置本体を支持する給紙装置の支持面を二分割し、双方の支持面のうち給紙装置の搬出口側の支持面への負荷を低減させることを目的とした画像形成装置等などが公知である（特許文献２参照）。
【先行技術文献】
【特許文献】
【０００５】
【特許文献１】特開平５−７７９４３号公報
【特許文献２】特開２００９−２３６９３８号公報
【発明の概要】
【発明が解決しようとする課題】
【０００６】
しかしながら、上記した特許文献１に記載の発明では、位置決め精度の向上を目的として、画像形成装置本体と給紙装置それぞれのカセットガイドに位置決め用凸部又は位置決め用凹部を設けているため、給紙装置の上面に画像形成装置本体を搭載する際に、これらの位置決め用凸部又は位置決め用凹部に衝撃が加わったりすると、カセットガイドに破損等が生じ、搬送性能などに悪影響が出る虞がある。
【０００７】
また、特許文献２に記載の発明では、給紙装置の搬出口側の支持面に対する画像形成装置本体の荷重負荷を低減させる工夫があるが、画像形成装置本体には転写ユニットや定着ユニット等の機構部材が搬出口側に片寄って配置されるため、画像形成装置本体の荷重負荷を低減することが困難であった。
【０００８】
本発明は、上記した課題を解決すべくなされたものであり、簡単な構造で給紙装置の剛性を高めることができ、画像形成装置本体を載置した際の給紙装置の撓みを抑制して、画像形成装置本体と給紙装置との位置決め精度を高めることが可能な給紙装置及び画像形成装置を提供することを目的とする。
【課題を解決するための手段】
【０００９】
上記した課題を解決するために、本発明は、下面に位置決め凹部を有する画像形成装置本体が載置されるオプションの給紙装置であって、前記画像形成装置本体の下面の周辺部に対向するように配置される載置部材と、該載置部材の下方に配置される補強部材と、上端部が前記位置決め凹部に嵌合可能且つ下端部が前記補強部材に当接可能なように前記載置部材を貫通して前記上端部に鍔部を有する位置決めピンと、が設けられ、
前記画像形成装置本体を載置すると、前記位置決めピンは、前記上端部が前記位置決め凹部に嵌合して前記鍔部が該位置決め凹部の縁部に当接すると共に前記下端部が前記補強部材に当接するように構成されていることを特徴とする。
【００１０】
この構成によれば、前記位置決めピンを設けることによって、給紙装置に対する画像形成装置本体の位置決めを行うことができると共に画像形成装置本体の荷重を載置部材と補強部材とに分散して載置部材の変形を防止することができ、簡単な構造で位置決め精度の向上と給紙装置の剛性の向上を同時に図ることができる。
【００１１】
また、本発明に係る給紙装置において、前記位置決めピンには、前記載置部材と前記鍔部との間に、該位置決めピンを上方に向かって付勢するバネが設けられていることを特徴とする。
【００１２】
この構成によれば、位置決めピンの長さを最小限に抑制することができ、製造コストの低減化を図ることができる。
【００１３】
また、本発明に係る給紙装置において、前記位置決めピンには、前記載置部材の下方に、該位置決めピンが貫通する前記載置部材の孔よりも大径な脱落防止部が設けられていることを特徴とする。
【００１４】
この構成によれば、給紙装置の搬送時等に位置決めピンが脱落するのを防止することができる。
【００１５】
さらに、本発明は、上記したいずれかの特徴を有する給紙装置を備えることを特徴とする画像形成装置であってもよく、また、本発明に係る画像形成装置において、前記給紙装置には、前記載置部材及び前記補強部材により連結される複数の支柱が設けられ、前記画像形成装置本体の下面には、該画像形成装置本体を前記給紙装置に載置した時に前記載置部材に当接する複数の脚部が設けられ、該脚部のうちの少なくとも一つの脚部は前記画像形成装置本体の下面の前記支柱に対向する位置から外れた位置に設けられ、前記位置決めピンは、前記少なくとも一つの脚部の近接位置に設けられていることを特徴とする。
【００１６】
この構成によれば、画像形成装置本体の荷重により撓み易い部分を補強することができ、耐久性の向上を図ることが可能となる。
【発明の効果】
【００１７】
本発明によれば、簡単な構造で給紙装置の剛性を高めることができ、画像形成装置本体を載置した際の給紙装置の撓みを抑制して、画像形成装置本体と給紙装置との位置決め精度を高めることができる等、種々の優れた効果を得ることができる。
【図面の簡単な説明】
【００１８】
【図１】本発明の一実施形態に係る画像形成装置を示す正面図である。
【図２】（ａ）は本発明の一実施形態に係る画像形成装置の画像形成装置本体を下方から示す斜視図であり、（ｂ）は本発明の一実施形態に係る画像形成装置の画像形成装置本体に取り付ける台ゴムを示す斜視図である。
【図３】本発明の一実施形態に係る画像形成装置の給紙装置を示す斜視図である。
【図４】本発明の一実施形態に係る画像形成装置の給紙装置のフレームの左側部分を示す斜視図である。
【図５】本発明の一実施形態に係る画像形成装置の給紙装置のフレームの左側部分を示す分解斜視図である。
【図６】本発明の一実施形態に係る画像形成装置の給紙装置の左上ステー及びその補強板を下方から示す斜視図である。
【図７】本発明の一実施形態に係る画像形成装置において画像形成装置本体を給紙装置に搭載する際の台ゴムを示す側断面図であり、（ａ）は画像形成装置本体を給紙装置に搭載する前の状態を示し、（ｂ）は画像形成装置本体を給紙装置に搭載した後の状態を示している。
【図８】本発明の一実施形態に係る画像形成装置において画像形成装置本体を給紙装置に搭載する前の位置決めピンの状態を示しており、（ａ）は位置決めピン周辺の給紙装置を部分的に示す側面図であり、（ｂ）は位置決めピン周辺の給紙装置を部分的に示す断面図である。
【図９】本発明の一実施形態に係る画像形成装置において画像形成装置本体を給紙装置に搭載する途中の位置決めピンの状態を示しており、（ａ）は位置決めピン周辺の給紙装置を部分的に示す側面図であり、（ｂ）は位置決めピン周辺の給紙装置を部分的に示す断面図である。
【図１０】本発明の一実施形態に係る画像形成装置において画像形成装置本体を給紙装置に搭載した後の状態を示しており、（ａ）は位置決めピン周辺の給紙装置を部分的に示す側面図であり、（ｂ）は位置決めピン周辺の給紙装置を部分的に示す断面図である。
【図１１】本発明の一実施形態に係る画像形成装置において画像形成装置本体と給紙装置との固定方法を示す分解斜視図である。
【図１２】本発明の一実施形態に係る画像形成装置において画像形成装置本体と給紙装置との固定方法を示す分解斜視図である。
【発明を実施するための形態】
【００１９】
以下、図面を参照しつつ、本発明の実施の形態に係る画像形成装置について説明する。なお、以下の説明において、前後、左右、上下の方向は、画像形成装置を操作する使用者側から見た方向を基準とする。
【００２０】
本発明の実施形態に係る画像形成装置１は、図１に示すように、縦長の略直方体形状を成し、画像形成装置本体２と、画像形成装置本体２が載置されるオプションの給紙装置３と、を備えて構成されている。
【００２１】
画像形成装置本体２は、多数の用紙を積層して収容する上下二段の給紙カセット４，５と、給紙カセット４，５の上方に配置されて用紙に画像を形成する画像形成部６と、画像形成部６の上方に配置されて原稿の画像を読み取る画像読取り部７と、画像形成部６と画像読取り部７の間に配置されて画像形成処理後の用紙を収容する排紙トレイ部８と、画像読取り部７の右手前側に配設される操作パネル部９と、を備えて構成されている。
【００２２】
図２（ａ）に示すように、画像形成装置本体２の下面２ａには、左右一対の位置決め凹部としての位置決め孔１０，１１と、合計４個の脚部としての台ゴム１２，１３，１４，１５と、給紙装置３から搬送される用紙を搬送経路Ａ（図１中に太い矢印で示す）に沿って画像形成装置本体２の内部に搬送するための搬送口１６と、雌型コネクター１７と、が設けられている。
【００２３】
左側の位置決め孔１０は、左側周辺部の前後方向略中央部に設けられており、右側の位置決め孔１１は、右側周辺部の搬送口１６より中央寄りの前後方向略中央部に設けられている。
【００２４】
各台ゴム１２，１３，１４，１５は、右前隅に配置される第１脚部としての台ゴム１２と、右後隅に配置される第２脚部としての台ゴム１３と、左側の位置決め孔１０の前方及び後方のそれぞれ近接した位置に配置される第３脚部としての台ゴム１４，１５と、により３点支持の構成を成すように設けられている。
【００２５】
図２（ｂ）に示すように、各台ゴム１２，１３，１４，１５は、扁平な円柱部１８と、円柱部１８の外周上部から庇状に延設される薄板部１９と、を有している。円柱部１８の底面中央部には、円柱状の凹部２０が形成され、円柱部１８の上面中央部には、凹部２０より小径で凹部２０に連通する貫通孔２１（図７（ａ）、（ｂ）参照）が形成されている。そして、貫通孔２１に締結具（図示省略）を挿入することにより台ゴム１２，１３，１４，１５が画像形成装置本体２の下面２ａに固定されるようになっている。
【００２６】
なお、円柱部１８の底面（図２（ｂ）中に斜線Ｂで示す領域）は、画像形成装置本体２を机や床等に直接載置する際に接触する面であり、薄板部１９の底面（図２（ｂ）中に斜線Ｃで示す領域）は、画像形成装置本体２を給紙装置３に載置する際に接触する面である。
【００２７】
搬送口１６は、右側周辺部の右前隅の台ゴム１２と右後隅の台ゴム１３との間に開口されており、雌型コネクター１７は、後側周辺部の略中央部に配設されている。また、画像形成装置本体２の後面の右下部には、固定凹部３９が形成されている（図１２参照）。
【００２８】
図１及び図３に示すように、給紙装置３は、画像形成装置本体２の給紙カセット６，７とは別に、オプションによって画像形成装置本体２の下段の給紙カセット７の下方に着脱可能に設けられており、上下二段の給紙カセット２２，２３を備えている。これにより、画像形成装置１としては、上下四段の給紙カセット６，７，２２，２３により、４種類のサイズ（例えば、Ａ４，Ａ３，Ｂ４，Ｂ５）の用紙を収納することができるようになっている。
【００２９】
給紙装置３は、中空の矩形箱状に形成されたフレーム２４と、フレーム２４の左右側面及び後面に取り付けられるカバーパネル２５と、底部の四隅に転動可能に取り付けられるローラ６７と、を備え、前方から給紙カセット２２，２３が引き出し可能に装着されている。
【００３０】
図３〜図６に示すように、フレーム２４は、四隅に立設される四本の支柱（左前側の支柱２６及び左後側の支柱２７のみを図示）と、該各支柱の上端部同士を矩形環状に連結する載置部材としての上ステー（前上ステー２８、後上ステー２９、左上ステー３０、右上ステー３１）と、前記各支柱の下端部同士を連結する下ステー（左下ステー３２のみを図示）と、前記上ステーと前記下ステーの間において前記各支柱同士を連結する補強部材としての中ステー（左中ステー３３のみを図示）と、各上ステー２８，２９，３０，３１の下面側にそれぞれ取り付けられる上ステー補強板（後上ステー補強板３４、左上ステー補強板３５、右上ステー補強板３６のみを図示）と、前上ステー２８の後縁部と左上ステー３０及び右上ステー３１の前端部とに亘って取り付けられる固定板３７と、を備えて構成されている。この固定板３７の左右両側にはそれぞれ固定ビス３８（図１１参照）が螺合可能なビス孔４０が形成されている。
【００３１】
図３に示すように、後上ステー２９の略中央部には雄型コネクター４１が突設されており、画像形成装置本体２を給紙装置３に載置する際に、雄型コネクター４１が雌型コネクター１７に嵌合可能となっている。
【００３２】
図５に良く示されているように、左上ステー３０には、画像形成装置本体２の左側の位置決め孔１０に対応する位置に位置決めピン取付部４２が設けられており、位置決めピン取付部４２はすり鉢状の凹部４３の底面に円形状の上側挿通孔４４が形成されて構成されている。位置決めピン取付部４２には左側位置決めピン６０が取り付けられるが、左側位置決めピン６０の詳細については後述する。
【００３３】
また、左上ステー３０には、位置決めピン４１の前後に台ゴム収容穴４５，４６がそれぞれ近接して形成されており、台ゴム収容穴４５，４６は左前側の支柱２６及び左後側の支柱２７から離間した位置に配置されている。台ゴム収容穴４５，４６は、画像形成装置本体２の左側の台ゴム１４，１５の円柱部１８を収容可能な円形状に形成され、左上ステー３０の台ゴム収容穴４５，４６より外側部分に台ゴム１４，１５の薄板部１９が当接するようになっている。
【００３４】
図３に示されているように、右上ステー３１には、画像形成装置本体２の右側の位置決め孔１１に対応する位置に右側位置決めピン４７が突設されており、右側位置決めピン４７はその上方突出長が雄型コネクター４１の上方突出長より長くなるように形成されている。右上ステー３１には、画像形成装置本体２の搬送口１６に対応する位置に切欠部４８が形成され、この切欠部４８の前後にそれぞれ台ゴム収容穴５０，５１が形成されている  。
【００３５】
台ゴム収容穴５０，５１は、右前側の支柱及び右後側の支柱（いずれも図示省略）の上端に対応して位置に配置されている。台ゴム収容穴５０，５１は、画像形成装置本体２の右側の台ゴム１２，１３の円柱部１８を収容可能な円形状に形成され、右上ステー３１の台ゴム収容穴５０，５１より切欠部４８側部分に台ゴム１２，１３の薄板部１９が当接するようになっている。
【００３６】
図４及び図５に良く示されているように、左中ステー３３及び左下ステー３２は、横長側板形状を成し、図示しない右中ステー及び右下ステーと共に、上下給紙カセット２２，２３の挿脱時にスライド用レールとして機能するように形成されている。また、左中ステー３３及び左下ステー３２の上端部には断面コの字状に曲げ加工された折り返し部５２，５３がそれぞれ形成されており、高い剛性を有している。
【００３７】
左上ステー補強板３５は樋形状を成し、その位置決めピン取付部４２の凹部４３に対応する位置には、台形状断面の隆起部５４が形成され、隆起部５４の頂部には上側挿通孔４４と平面的に合致する位置に円形状の下側挿通孔５５が形成されている。
【００３８】
左上ステー補強板３５の外側面の中央部には係止片５６が下方に延設され、係止片５６には矩形孔５７が形成されている。また、左前側の支柱２６及び左後側の支柱２７の外側面には、上下端部にそれぞれ矩形孔５８，５９が形成されており、カバーパネル２５の内面側に形成された係止部（図示省略）を各矩形孔５７，５８，５９に係止させることにより、カバーパネル２５がフレーム２４に取り付けられるようになっている。
【００３９】
次に、主に図５及び図８〜図１０を参照しつつ、左側位置決めピン６０について詳細に説明する。
【００４０】
左側位置決めピン６０は、上側挿通孔４４及び下側挿通孔５５を貫通可能な円柱形状を成し、左側位置決めピン６０の上側先端部分６１は左側位置決め孔１０に嵌合し易いように円錐形状を成している。左側位置決めピン６０の上端部には、上側先端部分６１の僅か下方に鍔部６２が形成されており、鍔部６２は左側位置決め孔１０の縁部に当接可能となっている。
【００４１】
左側位置決めピン６０には、鍔部６２と左上ステー３０の凹部４３の底面との間にバネ６３が周設されており、このバネ６３によって左側位置決めピン６０は上方に付勢されている。
【００４２】
左側位置決めピン６０の下端部は、左中ステー３３の折り返し部５２に当接可能に形成されている。左側位置決めピン６０の下端部には、略Ｃ字形状のストップリング６４が脱落防止部として装着されており、このストップリング６４の外径は上側挿通孔４４及び下側挿通孔５５よりも大径に形成されている。
【００４３】
これにより、給紙装置３に画像形成装置本体２を載置しない場合、図８に示すように、左側位置決めピン６０は、バネ６３及びストップリング６４によって上方に突出した姿勢が保持され、この時の左上ステー３０の上面からの突出長が雄型コネクター４１の上方突出長より長くなるように形成されている。
【００４４】
また、図１２に示すように、給紙装置３には、雄型コネクター４１の右後方の画像形成装置本体２側の固定凹部３９に対応する位置に、固定凹部６５が形成されており、各固定凹部３９，６５に固定板６６が固定されるようになっている。
【００４５】
次に、主に図７〜図１２を参照しつつ、本発明の一実施形態に係る画像形成装置１において画像形成装置本体２を給紙装置３に搭載する時の作用について説明する。
【００４６】
図８は画像形成装置本体２を給紙装置３に搭載する前の位置決めピン６０の状態を示しており、この場合、左側位置決めピン６０は、バネ６３によって上方に付勢されると共にストップリング６４が隆起部５４の下側挿通孔５５の縁部に係止することで、上方に突出した姿勢が保持されている。
【００４７】
この状態の給紙装置３に画像形成装置本体２を載置させるため、先ず、図９（ａ）及び（ｂ）に示すように左側位置決めピン６０の上端部を左側位置決め孔１０に嵌合させると共に、右側位置決めピン４７の上端部を右側位置決め孔１１に嵌合させると、給紙装置３に対して画像形成装置本体２が位置決めされ、図７（ａ）に示すように各台ゴム１２，１３，１４，１５の円柱部１８は各台ゴム収容穴５０，５１，４５，４６の上方に位置決めされる。
【００４８】
次いで、このように位置決めされた状態で、画像形成装置本体２を給紙装置３に載置すると、図１０（ａ）及び（ｂ）に示すように、鍔部６２が左側位置決め孔１０の縁部に当接することにより、左側位置決めピン６０はバネ６３の付勢力に抗して押し下げられ、左側位置決めピン６０の下端部は左中ステー３３の折り返し部５２に当接し、右側位置決めピン４７は右側位置決め孔１１に深く嵌合する。
【００４９】
また、この時、各台ゴム１２，１３，１４，１５の円柱部１８は、図７（ｂ）に示すように、各台ゴム収容穴５０，５１，４５，４６に嵌合し、右側の台ゴム１２，１３の薄板部１９は右上ステー３１の台ゴム収容穴５０，５１より切欠部４８側部分に当接し、左側の台ゴム１４，１５の薄板部１９は左上ステー３０の台ゴム収容穴４５，４６より外側部分に当接する。
【００５０】
次いで、図１１に示すように固定板３７の左右のビス孔４０にそれぞれ固定ビス３８を螺合すると共に、図１２に示すように画像形成装置本体２の固定凹部３９と給紙装置３の固定凹部６５にそれぞれ固定板６６をビス等で固定し、給紙装置３上に画像形成装置本体２を固定する。
【００５１】
このように上記した本発明の一実施形態の画像形成装置１によれば、左右の位置決めピン６０，４７の上側先端部分が円錐状に形成されていると共に左右の位置決めピン６０，４７の上方突出長が雄型コネクター４１の上方突出長より長くなっており、給紙装置３に対する画像形成装置本体２の位置決めが円滑且つ確実に行われるため、雄型コネクター４１と雌型コネクター１７との嵌合動作及び台ゴム１２，１３，１４，１５の各台ゴム収容穴５０，５１，４５，４６への嵌合動作も円滑且つ確実に行われる。
【００５２】
また、上記した一実施形態の画像形成装置１のように画像形成装置本体２が給紙装置３に３点支持される構成を採用した場合、左側の台ゴム１４，１５の薄板部１９が左前側の支柱２６及び左後側の支柱２７から外れた左上ステー３０の中央寄り部分に当接するため、左上ステー３０が画像形成装置本体２の荷重によって変形する虞がある。しかしながら、左側位置決めピン６０は、画像形成装置本体２を給紙装置３に搭載させる過程では給紙装置３に対する画像形成装置本体２の位置決めを行う機能を果たすと同時に、画像形成装置本体２を給紙装置３に搭載した後は、左上ステー３０に作用する画像形成装置本体２の荷重を左中ステー３３に分散させる機能を果たすため、左上ステー３０の変形を防止することができ、給紙装置３の剛性を高めることができる。
【００５３】
なお、上記した実施形態では、左側位置決めピン６０にバネ６３を周設しているが、このバネ６３は必ずしも設けなくてもよい。すなわち、左側位置決めピン６０を少し長めに形成させ、下端部が常に左中ステー３３に当接するように構成することで、バネ６３を省略することができる。
【００５４】
また、上記した本発明の実施形態の説明では、本発明に係る画像形成装置における好適な実施形態を説明しているため、技術的に好ましい種々の限定を付している場合もあるが、本発明の技術範囲は、特に本発明を限定する記載がない限り、これらの態様に限定されるものではない。すなわち、上記した本発明の実施形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００５５】
１    画像形成装置
２    画像形成装置本体
２ａ  下面
３    給紙装置
１０，１１    位置決め孔（位置決め凹部）
１２，１３，１４，１５    台ゴム（脚部）
２６    左前側の支柱
２７    左後側の支柱
３０    左上ステー（載置部材）
３３    左中ステー（補強部材）
６０    位置決めピン
６２    鍔部
６３    バネ
６４    ストップリング（脱落防止部）
【図１】
2014010192.tif 000003
【図２】
2014010192.tif 000004
【図３】
2014010192.tif 000005
【図４】
2014010192.tif 000006
【図５】
2014010192.tif 000007
【図６】
2014010192.tif 000008
【図７】
2014010192.tif 000009
【図８】
2014010192.tif 000010
【図９】
2014010192.tif 000011
【図１０】
2014010192.tif 000012
【図１１】
2014010192.tif 000013
【図１２】
2014010192.tif 000014